(57)【要約】      （修正有）【課題】帽子の鍔にフェイスシールドを取付けるための取付具であって、種々の形状の鍔に対応可能なフェイスシールド取付具を提供する。【解決手段】フェイスシールド取付具１は、帽子２００の鍔２１０にフェイスシールドを取付けるためのフェイスシールド取付具１であって、フェイスシールドを着脱可能に係止するシールド係止具１０と、帽子２００の鍔２１０に差し込み固定される着脱可能な鍔クリップ５０と、を備え、シールド係止具１０と鍔クリップ５０とが摺動自在に結合され、鍔クリップ５０に対してシールド係止具１０を任意の向きに可動させることができる。【選択図】図３
0003231263.tif 000002
【実用新案登録請求の範囲】
【請求項１】
帽子の鍔にフェイスシールドを取付けるためのフェイスシールド取付具であって、
フェイスシールドを着脱可能に係止するシールド係止具と、
帽子の鍔に差し込み固定される着脱可能な鍔クリップと、
を備え、
前記シールド係止具と前記鍔クリップとが摺動自在に結合され、前記鍔クリップに対して前記シールド係止具を任意の向きに可動させることができるフェイスシールド取付具。
【請求項２】
前記シールド係止具は、前記フェイスシールドが着脱可能に係止する係止具と、該シールド係止具を前記鍔クリップに摺動自在に連結する連結具とを備え、
前記鍔クリップは、前記帽子の鍔に着脱可能に係止する係止具と、該鍔クリップを前記シールド係止具に摺動自在に連結する連結具とを備え、
前記シールド係止具の連結具と前記鍔クリップの連結具とで球面継手を形成することを特徴とする請求項１に記載のフェイスシールド取付具。
【請求項３】
前記シールド係止具の連結具及び前記鍔クリップの連結具のいずれか一方が雄型の連結具であり、他方が雌型の連結具であり、
前記雄型の連結具は、外周面が円弧状の３本以上の板状部材で構成され、
前記雌型の連結具は、前記雄型の連結具が摺動自在に嵌り込む球冠状の受け部を有することを特徴とする請求項２に記載のフェイスシールド取付具。
【請求項４】
前記シールド係止具の係止具は、前記フェイスシールドに設けられた切り欠き部が嵌り込む係止片と、前記フェイスシールドに設けられた係止孔が嵌り込む突起とを有し、
前記フェイスシールドは、前記シールド係止具の係止具にワンタッチで着脱可能なことを特徴とする請求項２又は請求項３に記載のフェイスシールド取付具。
【考案の詳細な説明】
【技術分野】
【０００１】
本考案は、帽子の鍔にフェイスシールドを取付けるための取付具に関する。
【背景技術】
【０００２】
フェイスシールドは、飛散物等が目に入りあるいは顔に付着することを防止するためのものであり、血液等の飛散などに対処するため医療現場で多く使用されている。このほか、危険な薬品、試料などを取扱う化学会社、研究所、試験場、高温の液体、溶融物を取り扱う工場、作業場などでも目、顔の保護等を目的として使用されている（例えば特許文献１参照）。フェイスシールドは、フェイスガード、保護面、防護面とも呼ばれる。
【０００３】
今日、新型コロナウイルスの感染が世界的に問題となっており、新型コロナウイルスの対策として、フェイスシールドを着用し、またマスクとフェイスシールドとを併用している者もいる。フェイスシールドの頭部への装着方法としては、バンド・ベルトタイプの装着具、眼鏡タイプの装着具を用いる方法の他に、帽子にフェイスシールドを取付け、帽子を被る方法がある（例えば特許文献１、２参照）。
【先行技術文献】
【特許文献】
【０００４】
【特許文献１】実用新案登録第３２２８７２１号公報
【特許文献２】実用新案登録第３２２８０５５号公報
【考案の概要】
【考案が解決しようとする課題】
【０００５】
帽子にフェイスシールドを取付ける方法として、フェイスシールドにクリップを取付け、クリップを帽子の鍔に固定する方法がある。この方法は、帽子にフェイスシールドを取付け、取外すことができるため好ましい。ところで帽子の鍔は、正面視において比較的平坦なものから凸条に湾曲するものまで形状は種々である。このためクリップを用いて帽子の鍔にフェイスシールドを取付ける場合、鍔の形状に合致するクリップを準備する必要がある。
【０００６】
本考案は、帽子の鍔にフェイスシールドを取付けるための取付具であって、種々の形状の鍔に対応可能なフェイスシールド取付具を提供することである。
【課題を解決するための手段】
【０００７】
本考案は、帽子の鍔にフェイスシールドを取付けるためのフェイスシールド取付具であって、フェイスシールドを着脱可能に係止するシールド係止具と、帽子の鍔に差し込み固定される着脱可能な鍔クリップと、を備え、前記シールド係止具と前記鍔クリップとが摺動自在に結合され、前記鍔クリップに対して前記シールド係止具を任意の向きに可動させることができるフェイスシールド取付具である。
【０００８】
本考案に係るフェイスシールド取付具において、前記シールド係止具は、前記フェイスシールドが着脱可能に係止する係止具と、該シールド係止具を前記鍔クリップに摺動自在に連結する連結具とを備え、前記鍔クリップは、前記帽子の鍔に着脱可能に係止する係止具と、該鍔クリップを前記シールド係止具に摺動自在に連結する連結具とを備え、前記シールド係止具の連結具と前記鍔クリップの連結具とで球面継手を形成することを特徴とする。
【０００９】
本考案に係るフェイスシールド取付具において、前記シールド係止具の連結具及び前記鍔クリップの連結具のいずれか一方が雄型の連結具であり、他方が雌型の連結具であり、前記雄型の連結具は、外周面が円弧状の３本以上の板状部材で構成され、前記雌型の連結具は、前記雄型の連結具が摺動自在に嵌り込む球冠状の受け部を有することを特徴とする。
【００１０】
本考案に係るフェイスシールド取付具において、前記シールド係止具の係止具は、前記フェイスシールドに設けられた切り欠き部が嵌り込む係止片と、前記フェイスシールドに設けられた係止孔が嵌り込む突起とを有し、前記フェイスシールドは、前記シールド係止具の係止具にワンタッチで着脱可能なことを特徴とする。
【考案の効果】
【００１１】
本考案によれば、帽子の鍔にフェイスシールドを取付けるための取付具であって、種々の形状の鍔に対応可能なフェイスシールド取付具を提供することができる。
【図面の簡単な説明】
【００１２】
【図１】本考案の実施の一形態としてのフェイスシールド取付具１の斜視図である。
【図２】本考案の実施の一形態としてのフェイスシールド取付具１の分解構成図である。
【図３】本考案の実施の一形態としてのフェイスシールド取付具１を帽子２００の鍔２１０に取付けた斜視図である。
【図４】本考案の実施の一形態としてのフェイスシールド取付具１に取付けるフェイスシールド１００の正面図である。
【図５】本考案の実施の一形態としてのフェイスシールド取付具１を介して帽子２００の鍔２１０にフェイスシールド１００を取付けた斜視図である。
【考案を実施するための形態】
【００１３】
図１は、本考案の実施の一形態としてのフェイスシールド取付具１の斜視図、図２は、フェイスシールド取付具１をシールド係止具１０と鍔クリップ５０に分解した正面図である。図３は、フェイスシールド取付具１を帽子２００の鍔２１０に取付けた斜視図、図４は、フェイスシールド取付具１に取付けるフェイスシールド１００の正面図、図５は、フェイスシールド取付具１を介して帽子２００の鍔２１０にフェイスシールド１００を取付けた斜視図である。図面及び明細書中のＸ軸、Ｙ軸、Ｚ軸は、３次元直交座標のＸ軸、Ｙ軸、Ｚ軸と一致し、Ｘ（Ｘ軸）方向、Ｙ（軸）方向、Ｚ(軸)方向は、３次元直交座標のＸ軸方向、Ｙ軸方向、Ｚ軸方向と一致する。
【００１４】
本考案の実施の一形態としてのフェイスシールド取付具１は、帽子２００の鍔２１０にフェイスシールド（以下、シールドと記す場合がある）１００を取付けるための取付具であって、シールド１００を固定するシールド係止具１０と、鍔２１０に固定する鍔クリップ５０とからなり、シールド係止具１０と鍔クリップ５０とが着脱可能に連結されてなる。
【００１５】
シールド係止具１０は、シールド１００が係止する係止具１１とシールド係止具１０を鍔クリップ５０に連結するための雄連結具３５とからなり、プラスチックを用い一体成形されている。
【００１６】
係止具１１は、シールド１００に設けられた係止手段１１０が係止する部分であり、細長い略矩形板状のベース板１２と、ベース板１２の一方の側面１３に設けられた突起２０と突起２０の横に設けられた係止片２２とを備える。
【００１７】
ベース板１２は、図２においてＹ方向に長く、幅（Ｚ方向）が狭い矩形の板状の部材である。図２におけるＺ方向は紙面に直交する奥行き方向である。ベース板１２の一方の端部１５は、本フェイスシールド取付具１を介してシールド１００を帽子２００の鍔２１０に取付けたときシールド１００をスムーズに湾曲させるガイドとなるべく、雄連結具３５側（図２の−Ｘ方向）に湾曲している。ベース板１２の中央には雄連結具３５側に僅かに突出する湾曲部１７が形成されている。ベース板１２の湾曲部１７と端部１５との中間であって側面１３にシールド１００に設けられた係止孔１１５が嵌り込む、円柱形状の突起２０が設けられている。
【００１８】
またベース板１２の側面１３にはシールド１００に設けられた切り欠き部１１３が嵌り込む係止片２２が設けられている。係止片２２は、図２においてＹ方向に長く、幅（Ｚ方向）が狭い逆Ｌ字状の部材である。係止片２２の長さ（図２のＹ方向）は、ベース板１２の長さ（図２のＹ方向）に比較して短く、係止片２２の幅Ｗ２（図２のＺ方向）は、ベース板１２の幅Ｗ１（図２のＺ方向）に比較して狭い（図３参照）。係止片２２の幅Ｗ２は、シールド１００に設けられた切り欠き部１１３の幅Ｗ３と同一か僅かに小さい。
【００１９】
係止片２２は、ベース板１２と僅かな間隔を有しベース板１２に平行に配置され、係止片２２の一方の端部２３がベース板１２の側面１３の端部１６近傍に連結されている。係止片２２とベース板１２との間に設けられた間隔（隙間）は、シールド１００が入り込むためのものであり、ベース板１２の側面１３と係止片２２の底面２５との間にシールド１００が挿通し、係止片２２の端部２３に切り欠き部１１３が嵌まり込む。
【００２０】
係止片２２の他方の端部２４と突起２０との間がシールド１００の挿入口であり、係止片２２の端部２４と突起２０との間には所定の間隔（図２のＹ方向）が設けられている。また係止片２２の端部２４は、シールド１００をスムーズに係止片２２の底面２５に導くべく入口部が広くなるように丸味が設けられている。
【００２１】
係止片２２には補強板２７が取付けられている。補強板２７は、図２においてＸＹ平面に平行な板材であり、係止片２２に直交するように配置され、端部２８がベース板１２の側面１３の端部１６に連結する。
【００２２】
雄連結具３５は、鍔クリップ５０に設けられた雌連結具６０（受け部６１）に摺動自在に嵌り込み、受け部６１とで球面継手を形成し、シールド係止具１０と鍔クリップ５０とを連結する。雄連結具３５は、球面継手の雄部となる部材であり、４つの板状部材３６が図２においてＹＺ面に平行な面を正面に見て十字に配置、接合され、基端部３９がベース板１２の側面１４の中央に結合されている。本実施形態の雄連結具３５は、形態的には球冠状の部材を部分的削除し、十字状に残したものということができる。
【００２３】
４つの板状部材３６は、同一形状であり外周面３８が湾曲している。４つの外周面３８を覆う仮想球面の半径は、鍔クリップ５０の受け部６１の半径と略同一であり、４つの板状部材３６で形成される雄連結具３５は、受け部６１に摺動自在に嵌り込む。雄連結具３５は、図２の正面視において線Ｃ１−Ｃ１で直径が最大となる。
【００２４】
雄連結具３５は、球冠のブロック（塊）とし形成することも可能であるが、雄連結具３５を球冠のブロックとした場合、プラスチック成形する際に収縮が大きくなる。これに対して本実施形態のように４つの板状部材３６で雄連結具３５を形成すれば、プラスチック成形した場合でも収縮が殆どなく寸法調整等を含め成形が容易である。
【００２５】
鍔クリップ５０は、帽子２００の鍔２１０が係止する係止具５１と、鍔クリップ５０をシールド係止具１０に連結するための雌連結具６０と、係止具５１と雌連結具６０とをつなぐ連結片７０とで構成され、プラスチックを用い一体成形されている。
【００２６】
係止具５１は、帽子２００の鍔２１０が嵌り込み係止する部分であり、コ字状の板材であり、一対の挟持片５３、５６を形成する。一対の挟持片５３、５６の間隔は、入口部５７が一番狭く、奥に行くに従って広くなっている。挟持片５３の内面５４の奥部には、内側に突出する突起５９が設けられている。
【００２７】
係止具５１は、図２の正面視において係止具５１の中心軸線Ｍ１が、雌連結具６０の中心軸線Ｍ２と交差するように（図２参照）、また図２の平面視において係止具５１の中心軸線Ｍ１が、雌連結具６０の中心軸線Ｍ２と重なるように連結片７０で連結されている。ここで係止具５１の中心軸線Ｍ１は、図２の正面視において一対の挟持片５３、５６のそれぞれの内面から等距離にあり、図２の平面視において一対の挟持片５３、５６の幅方向の中心点を通る線である。雌連結具６０の中心軸線Ｍ２は、支持部６５の中心軸線であり、該中心軸線は受け部６１の中心点を通過する。
【００２８】
雌連結具６０は、シールド係止具１０に設けられた雄連結具３５が摺動自在に嵌り込み、雄連結具３５とで球面継手を形成し、シールド係止具１０と鍔クリップ５０とを摺動連結する。雌連結具６０は、球面継手の雌となる球冠状の受け部６１と受け部６１につながる支持部６５とからなる。受け部６１の内側は空洞であり、内面の球面の半径は、雄連結具３５の仮想球面の半径と略同一であり、受け部６１の内側に雄連結具３５が摺動自在に嵌り込む。受け部６１は、半球よりも僅かに大きく図２の正面視において線Ｃ２−Ｃ２で直径が最大となる。
【００２９】
支持部６５は、受け部６１に連結し受け部６１を支持し、連結片７０が連結する部位である。支持部６５は、底有円筒状であり、支持部６５の中心軸線Ｍ２が受け部６１の中心点を通過するように支持部６５の先端に受け部６１の基端６３が連結されている。本実施形態において支持部６５は、円筒状であるが、支持部６５は、受け部６１を堅固に支持し、連結片７０が連結できればよく形態は特に限定されない。
【００３０】
連結片７０は、断面が十字状であり、一端を係止具５１の挟持片５３の外面５５に、他端を支持部６５の外面に連結し、係止具５１と雌連結具６０とを堅固に連結する。連結片７０は、係止具５１と雌連結具６０とを堅固に連結できればよく、形態は特に限定されない。
【００３１】
以上からなるフェイスシールド取付具１は、シールド係止具１０の雄連結具３５が鍔クリップ５０の雌連結具６０の受け部６１に嵌め込まれ、雄連結具３５と雌連結具６１とが球面継手を形成するので、鍔クリップ５０に対してシールド係止具１０を任意の角度にすることができる。フェイスシールド取付具１において、雌連結具６０の受け部６１の先端６２の断面内径は、雄連結具３５の線Ｃ１−Ｃ１断面における内径よりも小さく、雄連結具３５は雌連結具６０の受け部６１に押し込まれ連結される。このため雄連結具３５と雌連結具６１とで形成される球面継手は、容易には外れない。
【００３２】
また雄連結具３５と雌連結具６０とで形成される球面継手は、雄連結具３５と受け部６１とがきつく接触しており、角度を変更するには手で一定以上の力を加える必要がある。このため鍔クリップ５０に対しシールド係止具１０の角度（位置）が決まると、その状態で保持される。
【００３３】
図４にフェイスシールド取付具１に取付けるシールド１００の正面図を示す。フェイスシールド取付具１に取付けるシールド１００は、ポリプロピレン（ＰＰ）、ポリエチレンテレフタレート（ＰＥＴ）、ポリカーボネート（ＰＣ）などの透明なプラスチックシートからなり、正面視において上辺１０１が緩やかに湾曲し、底辺１０７から側辺１０３、１０５にかけて大きく湾曲した形状を有する。
【００３４】
シールド１００の形状、材質は、本実施形態に限定されることなく種々の形状、材質のものを使用することができる。本発明者が発明し特許出願中の中央部から上部にかけて可視部が、中央部から下部にかけて不可視部が設けられたシールド（特願２０２０−０９９８５２）、また本発明者が創作し登録出願中の目の位置にくる部分を中心とした一定の範囲が無色透明で、他の部分が着色されているシールド（意願２０２０−０１７４７８）であってもよい。
【００３５】
シールド１００の両サイドの上部には、フェイスシールド取付具１に取付けるための係止手段１１０が設けられている。係止手段１１０は、側辺１０３、側辺１０５に臨むように設けられた矩形の切り欠き部１１３と、切り欠き部１１３より僅かに内側に設けられた係止孔１１５とからなる。
【００３６】
切り欠き部１１３の幅Ｗ３は、係止片２２の幅Ｗ２と略同一を基本とするが、切り欠き部１１３の幅Ｗ３を、係止片２２の幅Ｗ２よりも大きくしてもよい。このようにすればシールド１００をシールド係止具１０に取付けたとき、切り欠き部１１３と係止片２２との間に隙間ができ、突起２０を起点にシールド１００の位置、角度を可変させることができる。
【００３７】
係止手段１１０には、外部から視認可能な色で縁取りを施してもよく、係止手段１１０を囲むように一定の範囲内に色を付してもよい。このようにすれば係止手段１１０の位置が見つけ易くなる。
【００３８】
図５にフェイスシールド取付具１の使用例を示す。図５の帽子２００は、鍔２１０の幅方向がＸ方向、鍔２１０の奥行方向がＺ方向である。図５のＣ−Ｃ線は、鍔２１０の中心を表す線でありＺ方向に平行であり、鍔２１０の正面視は、図５においてＸＹ面を正面にＺ方向に見た図である。
【００３９】
帽子２００の鍔２１０の左右にそれぞれ鍔クリップ５０の係止具５１を差し込み、フェイスシールド取付具１を固定する。帽子２００の鍔２１０にフェイスシールド取付具１を固定した後に、係止具１１のベース板１２の長手方向が鍔２１０に略平行で、突起２０が前方（−Ｚ方向）を向くようにシールド係止具１０の向きを調整する。
【００４０】
シールド１００の左右の切り欠き部１１３のいずれか一方を係止具１１のシールド挿入口から挿入し係止片２２に係止させる。またシールド１００の係止孔１１５を係止具１１の突起２０に嵌め込む。同様に反対側の切り欠き部１１３をシールド挿入口から挿入し係止片２２に係止させ、また係止孔１１５を係止具１１の突起２０に嵌め込む。これによりフェイスシールド取付具１へのシールド１００の取付けが完了するので、以降、左右の鍔クリップ５０の位置、左右のシールド係止具１０の向きを適宜調整すればよい。
【００４１】
上記実施形態のフェイスシールド取付具１は、シールド１００を固定するシールド係止具１０を帽子２００の鍔２１０に固定される鍔クリップ５０に対して任意の向きとすることができるので、異なる形状、大きさの鍔２１０を有する帽子２００に取付け使用することができる。
【００４２】
図５において鍔２１０の中心（図５のＣ−Ｃ線）が上方（Ｙ方向）に高い正面視において湾曲した鍔２１０は、平坦な鍔２１０に比較して幅（Ｘ方向）が狭くなると共に、鍔２１０の側面２１２、２１４が下向きに傾斜する。このような鍔２１０に対して、シールド係止具１０が鍔クリップ５０に対して固定され向きを変更することができないフェイスシールド取付具を用いると、ベース板１２も下向きに傾斜し、シールド１００が上手く取り付かない。
【００４３】
これに対してフェイスシールド取付具１は、シールド係止具１０を鍔クリップ５０に対して任意の向きとすることができるので湾曲した鍔２１０にも問題なくシールド１００を取付けることができる。
【００４４】
また本フェイスシールド取付具１は、シールド係止具１０を鍔クリップ５０に対して任意の向きとすることができるので、鍔２１０にシールド１００を取付けた状態でシールド１００の下部を奥行方向（±Ｚ方向、図５のＡ方向）に動かすことができる。着用者は、鍔２１０に対する鍔クリップ５０の位置、さらには鍔クリップ５０に対するシールド係止具１０の角度を調整することで顔とシールド１００との距離を好ましい距離とすることができる。
【００４５】
また本フェイスシールド取付具１は、シールド係止具１０にシールド１００をワンタッチで取付け取外すことができるので使い勝手がよい。
【００４６】
以上、実施の一形態としてのフェイスシールド取付具１を用いて本考案に係るフェイスシールド取付具を説明したが、本考案に係るフェイスシールド取付具は上記実施形態に限定されるものではない。要旨を変更しない範囲で構成を変更して使用することができる。
【００４７】
上記実施形態ではシールド係止具１０が雄連結具３５を有し、鍔クリップ５０が雌連結具６０を有するが、シールド係止具１０が雌連結具６０を有し、鍔クリップ５０が雄連結具３５を有していてもよい。要すればシールド係止具１０の連結具と鍔クリップ５０の連結具とで球面継手が形成されればよい。
【００４８】
上記実施形態では、雄連結具３５を４本の板状部材で形成するが雄連結具３５を３本又は５本以上の板状部材で形成してもよい。また補強板２７の形態も上記実施形態以外のものであってもよい。また係止具１１及びフェイスシールド１００の係止手段１１０も他の構造、形態であってもよく、ワンタッチで着脱できるものが好ましい。
【００４９】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００５０】
１  フェイスシールド取付具
１０  シールド係止具
１１  係止具
２０  突起
２２  係止片
３５  雄連結具
３６  板状部材
３８  外周面
５０  鍔クリップ
５１  係止具
５３  挟持片
５６  挟持片
６０  雌連結具
６１  受け部
１００  フェイスシールド
１１０  係止手段
１１３  切り欠き部
１１５  係止孔
２００  帽子
２１０  鍔
【図１】
0003231263.tif 000003
【図２】
0003231263.tif 000004
【図３】
0003231263.tif 000005
【図４】
0003231263.tif 000006
【図５】
0003231263.tif 000007